【手続補正書】
【提出日】平成16年1月30日(2004.1.30)
【手続補正１】
【補正対象書類名】明細書
【補正対象項目名】特許請求の範囲
【補正方法】変更
【補正の内容】
【特許請求の範囲】
【請求項１】
ごみ焼却プラントの燃焼制御方法において、
ごみ焼却プラントにおける各種のセンサから、蒸気量プロセス値を含む各種のプロセス値を読み込むステップと、
読み込まれた蒸気量プロセス値と予め設定された蒸気量設定値との差を演算し、該差がゼロとなるように、燃焼空気量の設定値を決定するステップと、
外乱が生じたか否かを判定するステップと、
外乱が生じたときに、予め構築されたニューロモデルを用いて、発生される蒸気量の所定時間後の予測値を演算するステップと、
蒸気量予測値と蒸気量設定値との差、及び読み込まれた各種のプロセス値に基づき、蒸気量予測値と蒸気量設定値との差が最小となるように、燃焼空気量設定値を補正するための補正値を演算するステップと、
燃焼空気量を補正値により補正するステップと、
補正された燃焼空気量を供給するステップと
からなることを特徴とする燃焼制御方法。
【請求項２】
請求項１記載の燃焼制御方法において、
ごみ焼却プラントはストーカ式のものであって、上記燃焼空気量は、燃焼１帯及び燃焼２帯へ供給される主燃焼空気量であり、
燃焼制御方法はさらに、焼却炉内の燃焼完結点のプロセス値に基づき、乾燥帯及び後燃焼帯への空気量を決定するステップと、主燃焼空気量と乾燥帯及び後燃焼帯への空気量との和である一次燃焼空気量の設定値に基づき、焼却炉出口への空気量である二次燃焼空気量を演算するステップとを含んでいる
ことを特徴とする燃焼制御方法。
【請求項３】
請求項１又は２記載の燃焼制御方法において、該方法はさらに、
読み込まれた各種のプロセス値を用いて学習することにより、ニューロモデルを更新するステップ
を含んでいることを特徴とする燃焼制御方法。
【請求項４】
ごみ焼却プラントの燃焼制御方法において、
ごみ焼却プラントにおける各種のセンサから各種のプロセス値を読み込むステップと、
読み込まれた各種のプロセス値に基づき、ごみ性状の変動に応じて調整すべき給じん機の駆動速度の補正量を演算するステップと、
ホッパへのごみの投入時点で、給じん機の駆動速度を演算された補正量だけ変化させるステップと
からなることを特徴とする燃焼制御方法。
【請求項５】
請求項４記載の燃焼制御方法において、ごみ焼却プラントはストーカ式のものであり、該方法はさらに、
ごみ性状の変動に応じて調整すべきストーカの駆動速度の補正量を演算するステップと、
ホッパへのごみの投入時点で、ストーカの駆動速度を演算された補正量だけ変化させるステップと
を含んでいることを特徴とする燃焼制御方法。
【請求項６】
請求項５記載の燃焼制御方法において、該方法はさらに、
発生蒸気量に応じて調整すべき給じん機及びストーカの駆動速度それぞれの補正量を演算し、所定の周期で、その時点で得られた補正量でそれぞれの駆動速度を変化させるステップと、
ごみの層厚に応じて調整すべき給じん機及びストーカの駆動速度それぞれの補正量を演算し、所定の周期で、その時点で得られた補正量でそれぞれの駆動速度を変化させるステップと、
焼却炉内の酸素濃度が所定の範囲を外れたときに、調整すべき給じん機及びストーカの駆動速度それぞれの補正量を演算し、かつその時点で、得られた補正量でそれぞれの駆動速度を変化させるステップと、
主燃焼空気量が所定の範囲を外れたときに、調整すべき給じん機及びストーカの駆動速度それぞれの補正量を演算し、かつその時点で、得られた補正量でそれぞれの駆動速度を変化させるステップと、
燃焼完結点の所定の範囲から外れたときに、調整すべき給じん機及びストーカの駆動速度それぞれの補正量を演算し、かつその時点で、得られた補正量でそれぞれの駆動速度を変化させるステップと
を含んでいることを特徴とする燃焼制御方法。
【請求項７】
ごみをホッパから焼却炉へと押し出すための給じん機と、ごみを燃焼させる燃焼炉とを備えたごみ焼却プラントにおいて、
ごみを燃焼プラントにおける各種のセンサから、蒸気量プロセス値を含む各種のプロセス値を読み込むステップと、読み込まれた蒸気量プロセス値と予め設定された蒸気量設定値との差を演算し、該差がゼロとなるように、燃焼空気量の設定値を決定するステップと、外乱が生じたか否かを判定するステップと、外乱が生じたと判定したときに、予め構築されたニューロモデルを用いて、発生される蒸気量の所定時間後の予測値を演算するステップと、蒸気量予測値と蒸気量設定値との差、及び読み込まれた各種のプロセス値に基づき、蒸気量予測値と蒸気量設定値との差が最小となるように、燃焼空気量設定値を補正するための補正値を演算するステップと、燃焼空気量を補正値により補正させるステップと、補正された燃焼空気量を供給させるステップとを実行する燃焼制御装置
を備えていることを特徴とするごみを燃焼プラント。
【請求項８】
請求項記載のごみを燃焼プラントにおいて、
ごみ焼却プラントはストーカ式のものであって、上記燃焼空気量は、燃焼１帯及び燃焼２帯へ供給される主燃焼空気量であり、
燃焼制御装置はさらに、焼却炉内の燃焼完結点のプロセス値に基づき、乾燥帯及び後燃焼帯への空気量を決定するステップと、主燃焼空気量と乾燥帯及び後燃焼帯への空気量との和である一次燃焼空気量の設定値に基づき、焼却炉出口への空気量である二次燃焼空気量を演算するステップとを実行するよう構成されている
ことを特徴とするごみを燃焼プラント。
【請求項９】
請求項７又は８記載のごみを燃焼プラントにおいて、燃焼制御装置はさらに、読み込まれた各種のプロセス値を用いて学習することにより、ニューロモデルを更新するステップを実行するよう構成されていることを特徴とするごみを燃焼プラント。
【請求項１０】
ごみをホッパから焼却炉へと押し出すための給じん機と、ごみを燃焼させる燃焼炉とを備えたごみ焼却プラントにおいて、
ごみを燃焼プラントにおける各種のセンサから、各種のプロセス値を読み込むステップと、読み込まれた各種のプロセス値に基づき、ごみ性状のの変動に応じて調整すべき給じん機の駆動速度の補正量を演算するステップと、ホッパへのごみの投入時点で、給じん機の駆動速度を演算された補正量だけ変化させるステップとを実行する燃焼制御装置
を備えていることを特徴とするごみを燃焼プラント。
【請求項１１】
請求項１０記載のごみを燃焼プラントにおいて、ごみ焼却プラントはストーカ式のものであって、燃焼制御装置はさらに、ゴミ性状の変動に応じて調整すべきストーカの駆動速度の補正量を演算するステップと、ホッパへのごみの投入時点で、ストーカの駆動速度を演算された補正量だけ変化させるステップとを実行するよう構成されていることを特徴とするごみを燃焼プラント。
【請求項１２】
請求項１１記載のごみを燃焼プラントにおいて、燃焼制御装置はさらに、発生蒸気量に応じて調整すべき給じん機及びストーカの駆動速度それぞれの補正量を演算し、所定の周期で、その時点で得られた補正量でそれぞれの駆動速度を変化させるステップと、ごみの層厚に応じて調整すべき給じん機及びストーカの駆動速度それぞれの補正量を演算し、所定の周期で、その時点で得られた補正量でそれぞれの駆動速度を変化させるステップと、焼却炉内の酸素濃度が所定の範囲を外れたときに、調整すべき給じん機及びストーカの駆動速度それぞれの補正量を演算し、かつその時点で、得られた補正量でそれぞれの駆動速度を変化させるステップと、主燃焼空気量が所定の範囲を外れたときに、調整すべき給じん機及びストーカの駆動速度それぞれの補正量を演算し、かつその時点で、得られた補正量でそれぞれの駆動速度を変化させるステップと、燃焼完結点の所定の範囲から外れたときに、調整すべき給じん機及びストーカの駆動速度それぞれの補正量を演算し、かつその時点で、得られた補正量でそれぞれの駆動速度を変化させるステップとを実行するよう構成されていることを特徴とするごみを燃焼プラント。